(57)【要約】【課題】カバー部材同士の当接部が複雑な形状であっても、防水性を容易に確保することを可能にした小型の光学装置を得る。【解決手段】  光軸に対し略垂直方向に光学系を挟み込み保持する２つのカバー部材５、６を備え、これらのカバー部材５、６が外部空間に対して水密な光学的空間を形成する光学装置において、２つのカバー部材５、６が当接する当接部の一部を囲む一繋がりの形態を有する防水用のシールゴム１９Ｌ、１９Ｒ、２０（１９Ｌ、１９Ｒは図示せず）と、これらのシールゴム１９Ｌ、１９Ｒ、２０を押圧する薄板１８とを備える。【選択図】図１
2011022452.tif 000002
【特許請求の範囲】
【請求項１】
光学系と、該光学系の光軸に対し両側から該光学系を挟み込み保持する２つのカバー部材を備え、これらのカバー部材が外部空間に対して水密な光学的空間を形成する光学装置において、前記光学系の光軸に対し垂直な面に挿入し、前記２つのカバー部材が当接する当接部の一部を囲む一繋がりの形態を有する防水用の弾性部材と、該弾性部材を押圧する押圧部材とを備えたことを特徴とする光学装置。
【請求項２】
前記弾性部材は前記押圧部材に一体的に取り付けたことを特徴とする請求項１に記載の光学装置。
【請求項３】
前記弾性部材は前記押圧部材にアウトサート成型により一体的に取り付けられたことを特徴とする請求項１又は２に記載の光学装置。
【請求項４】
請求項１〜３の何れか１つの請求項に記載の光学装置を有する双眼鏡。
【発明の詳細な説明】
【技術分野】
【０００１】
本発明は、光学装置に関し、特に防水構造を備える例えば双眼鏡や交換レンズ、撮像装置、望遠鏡、プロジェクタ等の光学装置に関するものである。
【背景技術】
【０００２】
従来、カメラ等の光学機器における防水構造は、２つのカバー部材の当接部にゴム等の弾性部材を介在させたものが知られている。即ち、一方のカバー部材の当接部に溝部を設け、この溝部内に弾性部材を収納し、他方のカバー部材の当接部には弾性部材を押圧する突起部を設けている。２つのカバー部材が当接する際に、突起部に押圧された弾性部材が変形し、溝部の面に密接することで２つのカバー部材間の防水性が確保されている。
【０００３】
例えば、特許文献１ではカメラの本体及び裏蓋における防水構造において、溝部が第１の溝部の底部に更に溝幅の狭い第２の溝部を備えた二重溝になっており、弾性部材の幅は第２の溝幅よりも大きく、かつ第１の溝幅よりも小さくなっている。そのため、突起部に押圧された弾性部材は第１の溝部の側面に接すると共に、その底部を第２の溝部に喰い込ませることで、防水性を確保しているカメラの防水構造が開示されている。
【０００４】
また特許文献２では、溝部の外周の長さよりも弾性部材の外周の長さを長くすることで、常に弾性部材の外周を溝部の外周に当接させており、突起部に押圧された弾性部材が捩れて、溝部側面に当接しないことを回避する光学装置が開示されている。
【先行技術文献】
【特許文献】
【０００５】
【特許文献１】特許第３８３５５００号公報
【特許文献２】特開２００６−２０８６４０号公報
【発明の概要】
【発明が解決しようとする課題】
【０００６】
しかし、上述の特許文献に開示された従来技術では、２つのカバー部材の当接部が複雑な形状である場合には、溝部、弾性部材、突起部の形状が複雑になり、弾性部材に捩れが生ずる。或いは、押圧が不均一になる等の変形が生ずる可能性があり、防水性を確保することが困難になる。
【０００７】
カバー部材により光軸方向に光学系を包む光学装置においては、カバー部材同士の当接部が一繋がりになっているため、従来技術を容易に適用できる。しかし、光学系をカバー部材により光軸に対し略垂直方向に挟み込む構造の光学装置においては、その当接部の形状が複雑になる。また、カバー部材により光軸方向に光学系を包む光学装置は、その成型構造上、内包する光学系が光軸方向に長い場合に大型化してしまうことになる。
【０００８】
更に、従来技術では溝部内に弾性部材を収納するため、溝幅に加え溝部の両側に弾性部材の脱落を防ぐ壁の厚みが必要となるので、溝部を設けたカバー部材が大型化し、その結果として光学装置の大型化へと繋がる。
【０００９】
本発明の目的は、上述の課題を解消し、カバー部材同士の当接部が複雑な形状であっても、容易に防水性の確保を可能にした光学装置を提供することにある。
【課題を解決するための手段】
【００１０】
上記目的を達成するための本発明に係る光学装置は、光学系と、該光学系の光軸に対し両側から該光学系を挟み込み保持する２つのカバー部材を備え、これらのカバー部材が外部空間に対して水密な光学的空間を形成する光学装置において、前記光学系の光軸に対し垂直な面に挿入し、前記２つのカバー部材が当接する当接部の一部を囲む一繋がりの形態を有する防水用の弾性部材と、該弾性部材を押圧する押圧部材とを備えたことを特徴とする。
【発明の効果】
【００１１】
本発明に係る光学装置によれば、光軸に対し両側から光学系を挟み込むカバー部材同士の当接部が複雑な形状であっても、光学装置が大型化することなく防水性を容易に確保できる。
【図面の簡単な説明】
【００１２】
【図１】双眼鏡の分解斜視図である。
【図２】正面図である。
【図３】図２のＡ−Ａ線に沿った断面図である。
【図４】図３のＢ−Ｂ線に沿った断面図である。
【図５】図２のＡ−Ａ線に沿った要部拡大断面図である。
【図６】図２のＣ−Ｃ線に沿った要部拡大断面図である。
【図７】背面に設けた薄板を対物側から見た斜視図である。
【図８】接眼シールゴムの斜視図である。
【図９】カバー背面シールゴムの対物側から見た斜視図である。
【図１０】図３のＢ−Ｂ線に沿った要部拡大断面図である。
【図１１】カバー側面シールゴムと薄板の斜視図である。
【発明を実施するための形態】
【００１３】
本発明を図示の実施例に基づいて詳細に説明する。
図１は実施例の双眼鏡の分解斜視図、図２は正面図、図３は図２のＡ−Ａ線に沿った断面図、図４は図３のＢ−Ｂ線に沿った断面図である。
【００１４】
この双眼鏡は主として、左右一対の対物光学系１Ｌ、１Ｒを保持する対物鏡筒２Ｌ、２Ｒ、振れ補正光学系３Ｌ、３Ｒを保持する振れ補正ユニット４、これらを両側から挟み込む上カバー部材５と下カバー部材６、更に接眼ユニット７Ｌ、７Ｒにより構成されている。振れ補正ユニット４の先端には、対物鏡筒２Ｌ、２Ｒが図示しないバヨネット構造により位置決めされており、回り止め部材８により一体化され、対物ユニット９となっている。
【００１５】
振れ補正ユニット４には図示しない電気基板が搭載されており、対物光学系の光軸ＯＬ、ＯＲに対し直交する平面内で振れ補正光学系３Ｌ、３Ｒを上下左右に移動させ、振れ補正を行うようになっている。接眼ユニット７Ｌ、７Ｒは正立光学系を形成するポロプリズム１０Ｌ、１０Ｒと左右一対の接眼光学系１１Ｌ、１１Ｒにより構成されている。
【００１６】
接眼光学系１１Ｌ、１１Ｒは接眼鏡筒１２Ｌ、１２Ｒに保持されており、ポロプリズム１０Ｌ、１０Ｒを保持する支持部１３Ｌ、１３Ｒと、互いに形成されたヘリコイドねじ部により螺合している。なお、正立光学系を形成するポロプリズム１０Ｌ、１０Ｒに代えて、ダハプリズム、平行四辺形のプリズム、ミラー等の他の正立手段を用いてもよい。
【００１７】
接眼鏡筒１２Ｌ、１２Ｒを支持部１３Ｌ、１３Ｒに対し回転させることで、接眼光学系１１Ｌ、１１Ｒを前後に進退させ、左右の視度調整を行うことが可能である。対物ユニット９と接眼ユニット７Ｌ、７Ｒを含む光学ユニット１４は、光学保持部材１６によって下カバー部材６に固定されている。
【００１８】
光学ユニット１４において、対物ユニット９は中央上部に位置するフォーカスユニット１５を介して光軸方向に対し移動可能な状態で、光学保持部材１６に取り付けられている。フォーカスユニット１５のうち、フォーカスダイヤル１７は外部に露出しており、このフォーカスダイヤル１７を回転させることにより、対物ユニット９を光軸方向に前後させ、観察対象像に対しピントを合わせることが可能となる。
【００１９】
また、一対の接眼ユニット７Ｌ、７Ｒは図示しない連動機構により、一方を対物光学系の光軸中心に回転させると、他方が連動して回転する構成となっており、この構成により観察者の目幅に応じた位置に接眼ユニット７Ｌ、７Ｒを調整することができる。接眼ユニット７Ｌ、７Ｒは対物光学系１Ｌ、１Ｒの光軸ＯＬ、ＯＲの射出側と、それぞれの光軸ＥＬ、ＥＲの入射側が目幅調整を行っても、同一直線上に揃うように光学保持部材１６にそれぞれ取り付けられている。
【００２０】
双眼鏡は上カバー部材５、下カバー部材６から、フォーカスダイヤル１７と接眼ユニット７Ｌ、７Ｒとが露出するような構成をしているため、上カバー部材５、下カバー部材６の当接部の一部である背面側の形状が複雑な機構となっている。
【００２１】
図５は図２のＡ−Ａ線に沿った要部断面図、図６はＣ−Ｃ線に沿った要部断面図である。接眼ユニット７Ｌ、７Ｒと光学保持部材１６の間には、上カバー部材５、下カバー部材６の背面の光学系の光軸方向と垂直に、図７に示す押圧部材としてのステンレス製の薄板１８が挿入されている。更に、図８に示す防水用の弾性部材としての一繋がりの形態をした接眼シールゴム１９Ｌ、１９Ｒが挿入されている。なお、図５は接眼ユニット７Ｌ側を図示しているが、接眼ユニット７Ｒ側も同様である。
【００２２】
接眼シールゴム１９Ｌ、１９Ｒは接眼ユニット７Ｌ、７Ｒが光学保持部材１６に取り付けられる際に、背面に設けた薄板１８によって接眼ユニット７Ｌ、７Ｒに対しそれぞれ光軸方向に押圧されている。また、薄板１８の外周部には、図９に示す一繋がりのカバー背面シールゴム２０が一体的に取り付けられている。実施例では、薄板１８の外周部にアウトサート成型でカバー背面シールゴム２０が一体的に成型されている。薄板１８には脱落防止孔１８ａが設けられており、アウトサート成型時にカバー背面シールゴム２０が光軸押圧部２０ａから脱落防止孔１８ａを貫通して脱落防止部２０ｂと一体になることで、カバー背面シールゴム２０が薄板１８から脱落することが防止されている。
【００２３】
上下のカバー部材５、６はそれぞれ光軸に対し垂直な面を形成する背面薄板ストッパ部５ａ、６ａと、光軸に対し垂直なシールゴム押圧面５ｂ、６ｂが設けられている。薄板１８とカバー背面シールゴム２０は、ストッパ部５ａ、６ａとシールゴム押圧面５ｂ、６ｂとの間に存在する間隙に挿入され、カバー背面シールゴム２０の光軸方向押圧部２０ａは、光軸方向にシールゴム押圧面５ｂ、６ｂに対し押圧されている。そのため、ストッパ部５ａ、６ａはカバー背面シールゴム２０の脱落防止部２０ｂを避けた位置のみに存在する。
【００２４】
フォーカスユニット１５は光学保持部材１６に薄板１８を挟みながら、図示しないねじにより固定されている。また、薄板１８とカバー背面シールゴム２０を組み込んだ光学ユニット１４を下カバー部材６に固定した後に、上カバー部材５を組み付ける際には、カバー背面シールゴム２０の状態を目視で確認できない。しかし、カバー背面シールゴム２０に脱落防止部２０ｂがあるため、カバー背面シールゴム２０が薄板１８から脱落することはなく、組み立てが容易となり、組立性の向上へと繋がる。
【００２５】
ここで、本実施例の双眼鏡は電気基板を内包するため、双眼鏡の内部への水滴の侵入を防ぐことが必要である。前述の構成により、本実施例の双眼鏡において、上カバー部材５、下カバー部材６の当接部のうち、複雑な形状をしている部位に対し、接眼シールゴム１９Ｌ、１９Ｒとカバー背面シールゴム２０により囲んでいる。そして、薄板１８によりこれらのシールゴム１９Ｌ、１９Ｒ、２０を光軸方向に上下のカバー部材５、６に押圧する。これにより、シールゴム１９Ｌ、１９Ｒ、２０により囲まれた領域に水滴を閉じ込め、薄板１８により装置の内部への水滴の侵入を防止し、外部空間に対し水密な光学的空間を形成する。
【００２６】
図１０は図３のＢ−Ｂ線に沿った要部断面図である。上下のカバー部材５、６のそれぞれの四隅のねじ締結部２１をねじで固定することにより、上カバー部材５、下カバー部材６は上下方向に一体化されている。上カバー部材５、下カバー部材６のねじ締結部２１が当接する面は、それぞれ精度良く仕上げられているため、ねじにより締結した際に防水性を有している。
【００２７】
しかし、その周辺の当接部は防水性が劣るので、カバー背面シールゴム２０はその一部にねじ締結部２１の当接部を光軸直交方向に押圧する光軸直交方向押圧部２０ｃが設けられている。ねじ締結部２１の当接部付近からの水滴の侵入も防止し、更に防水性を増している。なお、双眼鏡の対物側や側面側の上カバー部材５、下カバー部材６の当接部、接眼ユニット７Ｌ、７Ｒ内には、公知の防水構造が用いられている。
【００２８】
また、上カバー部材５に設けられた保護ガラス２２Ｌ、２２Ｒや接眼ユニットレンズ面は外界に露出しているため、熱加締めの上に接着を施している。図１、図３に示すように、対物側は下カバー部材６に設けられた溝部６ｃにカバー対物シールゴム２３が挿入され、上カバー部材５の突起部５ｃにより押圧されている。
【００２９】
図１１は本実施例の側面に対する弾性部材であるカバー側面シールゴムと側面に設けた押圧部材である薄板の斜視図である。カバー側面シールゴム２４Ｌ、２４Ｒは薄板２５Ｌ、２５Ｒに一体的に取り付けられている。図１に示すように、薄板２５Ｌ、２５Ｒは下カバー部材６に設けられた薄板ストッパ部６ｄと下カバー部材６の側面当接部との間隙に挿入され、カバー側面シールゴム２４Ｌ、２４Ｒは下カバー部材６の側面当接部に沿って当接方向と略垂直方向から当接部を押圧する。
【００３０】
上カバー部材５にも、下カバー部材６と同様に図示しないストッパ部が存在し、上カバー部材５を組み付ける際に薄板２５Ｌ、２５Ｒはストッパ部と側面当接部の空隙に挿入されている。カバー側面シールゴム２４Ｌ、２４Ｒは薄板２５Ｌ、２５Ｒによって、上カバー部材５、下カバー部材６の側面当接部に沿って当接方向に垂直方向から押圧されている。更に、カバー側面シールゴム２４Ｌ、２４Ｒと薄板２５Ｌ、２５Ｒの前後に、光軸方向押圧部２４Ｌａ、２４Ｒａ、２５Ｌａ、２５Ｒａが設けられ、カバー側面シールゴム２４Ｌ、２４Ｒはねじ締結部２１の当接部を光軸方向に押圧している。
【００３１】
上述の構成により、光軸に対し垂直方向に光学系を挟み込むカバー部材を備える光学装置において、光学装置が大型化することなく、２つの部材の当接部が複雑な形状であっても、容易に防水性を確保することが可能となる。
【００３２】
なお本実施例では、外界に露出しているレンズは熱加締めの上に接着をしているが、その他の公知の防水技術を用いてもよい。また、薄板１８はステンレス製としているが、弾性部材の反発力に対し強度を持つ防水に適した材料であればよい。カバー背面シールゴム２０は薄板１８に接着等の手段で一体化することもできる。
【００３３】
なお、実施例では、双眼鏡について説明したが、本発明はこの実施側に限定されず、交換レンズ、撮像装置、望遠鏡、プロジェクタ等の種々の光学機器に適用でき、また特許請求の範囲内で種々の変形及び変更が可能である。
【符号の説明】
【００３４】
１Ｌ、１Ｒ  対物光学系
２Ｌ、２Ｒ  対物鏡筒
５  上カバー部材
６  下カバー部材
９  対物ユニット
１４  光学ユニット
１６  光学保持部材
１８、２５Ｌ、２５Ｒ  薄板
１９Ｌ、１９Ｒ  接眼シールゴム
２０  カバー背面シールゴム
２３  カバー対物シールゴム
２４Ｌ、２４Ｒ  カバー側面シールゴム
【図１】
2011022452.tif 000003
【図２】
2011022452.tif 000004
【図３】
2011022452.tif 000005
【図４】
2011022452.tif 000006
【図５】
2011022452.tif 000007
【図６】
2011022452.tif 000008
【図７】
2011022452.tif 000009
【図８】
2011022452.tif 000010
【図９】
2011022452.tif 000011
【図１０】
2011022452.tif 000012
【図１１】
2011022452.tif 000013